(57)【要約】  企図される対話式の化粧品ケースセットは、ａ）少なくとも２つの独立部分を備えるケース構成要素（８００）、ｂ）ケース構成要素に結合される複数の化粧品ポッド（８１０）、ｃ）ケース構成要素に結合される鏡、ｄ）ケース構成要素に結合される、音声、映像または音声／映像の組み合わせ（ＡＶ）ポッド（８７０）を含む。さらに、対話式の化粧品ケースセットを用意し、その対話式の化粧品ケースセットを開け、化粧品セットの音声、映像またはＡＶポッドを操作し、音声、映像またはＡＶポッドによって提供される一連の使用説明を検討し、対話式の化粧品ケースセットに含まれる化粧品の少なくとも一部をその使用説明に従って使用することを含む、化粧品の利用方法も提供される。【選択図】図８Ｂ
2010523224.tif 000002
【特許請求の範囲】
【請求項１】
少なくとも２つの独立部分を備えるケース構成要素と、
前記ケース構成要素に結合される複数の化粧品ポッドと、
前記ケース構成要素に結合される鏡と、
前記ケース構成要素に結合される、音声、映像または音声／映像の組み合わせ（ＡＶ）ポッドと、
を備える、対話式の化粧品ケースセット。
【請求項２】
前記ケース構成要素の前記少なくとも２つの独立部分が、ヒンジまたは他の回転可能結合装置によって結合される、請求項１に記載の対話式の化粧品ケースセット。
【請求項３】
前記ケース構成要素の前記少なくとも２つの独立部分が、摺動可能に結合される、請求項１に記載の対話式の化粧品ケースセット。
【請求項４】
前記少なくとも２つの独立部分のうちの少なくとも一方が、基部を備える、請求項１に記載の対話式の化粧品ケースセット。
【請求項５】
前記基部が内側部分および外側部分を備える、請求項４に記載の対話式の化粧品ケースセット。
【請求項６】
前記複数の化粧品ポッドが、前記ケース構成要素の前記基部の前記内側部分に結合される、請求項５に記載の対話式の化粧品ケースセット。
【請求項７】
前記少なくとも２つの独立部分のうちの少なくとも一方が、蓋部を備える、請求項１に記載の対話式の化粧品ケースセット。
【請求項８】
前記蓋部が、内側部分および外側部分を備える、請求項７に記載の対話式の化粧品ケースセット。
【請求項９】
前記鏡が、前記蓋部の前記内側部分に結合される、請求項８に記載の対話式の化粧品ケースセット。
【請求項１０】
前記音声、映像または音声／映像の組み合わせポッドが、少なくとも部分的に、前記基部に結合される、請求項４に記載の対話式の化粧品ケースセット。
【請求項１１】
前記音声、映像または音声／映像の組み合わせポッドが、少なくとも部分的に、前記蓋部に結合される、請求項７に記載の対話式の化粧品ケースセット。
【請求項１２】
前記音声、映像または音声／映像の組み合わせ（ＡＶ）ポッドが、脱着可能である、請求項１に記載の対話式の化粧品ケースセット。
【請求項１３】
前記音声、映像または音声／映像の組み合わせ（ＡＶ）ポッドが、書き換え可能である、請求項１に記載の対話式の化粧品ケースセット。
【請求項１４】
表示装置をさらに備える、請求項１に記載の対話式の化粧品ケースセット。
【請求項１５】
前記表示装置が、液晶表示またはデジタル映像表示を備える、請求項１４に記載の対話式の化粧品ケースセット。
【請求項１６】
前記化粧品セットが、前記ケース構成要素に結合される少なくとも１つの追加品をさらに備える、請求項１に記載の対話式の化粧品ケースセット。
【請求項１７】
前記少なくとも１つの追加品が、ブラシ、塗布具、リップスティックもしくはグロス、マスカラもしくはアイライナ、さらさらした粉の容器、器具、接着剤またはその組み合わせを含む、請求項１６に記載の対話式の化粧品ケースセット。
【請求項１８】
前記複数の化粧品ポッドが、粉末状のアイシャドウ、粉末状のファンデーション、粉末状のほお紅またはその組み合わせを含む、請求項１に記載の対話式の化粧品ケースセット。
【請求項１９】
化粧品の使用方法であって、
請求項１に記載の対話式の化粧品ケースセットを用意する段階と、
請求項１に記載の対話式の化粧品ケースセットを開ける段階と、
前記化粧品セットの前記音声、映像、またはＡＶポッドを操作する段階と、
前記音声、映像またはＡＶポッドにより提供される一連の使用説明を検討する段階と、
前記対話式の化粧品ケースセットに含まれる化粧品の少なくとも一部を前記使用説明に従って使用する段階と
を含む方法。
【発明の詳細な説明】
【技術分野】
【０００１】
本主題の分野は、対話式（ｉｎｔｅｒａｃｔｉｖｅ）の化粧品ケースおよびその使用である。
【背景技術】
【０００２】
化粧品業界は、アイシャドウ、アイライナ、マスカラ、つけまつげ、眉着色剤およびライナ、リップスティックおよびグロス、ほお紅およびブロンザ、ならびに他の化粧品および塗付物を含めて、化粧を施すことについて、新しい「容貌」を作り出すことでその既成概念の枠を超え続けている。これらの特定の容貌は人気があるが、たいていの場合、特定の化粧品類でのその容貌の実現法を考え出すことは、女性の自己裁量に任せられる。
【０００３】
化粧品セットとは別個に提供されるまたはそれに付く小冊子、デジタル映像ディスク（ＤＶＤｓ）、ウェブサイトおよび挿入物があり、それらは、特定の流行の容貌を実現するように様々な化粧品のつけ方を略述かつ描写する。これらの場合、小冊子およびウェブサイトは選ぶべき色または相互に適合するブランド商品について何も指導を行わないことがある。小冊子および挿入物が化粧品セットに付く場合、一組の適合する化粧品をもたらすが、小冊子または挿入物は、ためにならない、または化粧品セットを開けた後紛失してしまうこともある。使用者は、特定の容貌の施し方または修正方法を覚えるためにハンドバッグの中に化粧品セットと一緒に小冊子を持ち歩くことは好まない。
【発明の概要】
【発明が解決しようとする課題】
【０００４】
したがって、特定の容貌の実現または特定の肌の色合いへの適用を意図する対話式の化粧品セットであって、容貌を作り出すための構成要素がもたらされ、化粧品セットと別個でなく塗布かつ／またはある種の容貌に修正を加えるように具体的に指導が受けられる化粧品セットに付属する使用説明がある、対話式の化粧品セットが必要とされている。これらの理想的な化粧品セットは、使用者にとって、新しいカラー化粧品および製品の導入の際、詰め替え可能、交換可能およびダウンロードによる更新可能であるという潜在的利益と共に便利であろう。
【課題を解決するための手段】
【０００５】
企図される対話式の化粧品ケースセットは、ａ）少なくとも２つの独立部分を備えるケース構成要素、ｂ）ケース構成要素に結合される複数の化粧品ポッド（ｐｏｄ）、ｃ）ケース構成要素に結合される鏡、ｄ）ケース構成要素に結合される、音声、映像または音声／映像の組み合わせ（ＡＶ）ポッドを含む。
【０００６】
さらに、対話式の化粧品ケースセットを用意し、その対話式の化粧品ケースセットを開け、化粧品セットの音声、映像またはＡＶポッドを操作し、音声、映像またはＡＶポッドにより提供される一連の使用説明を検討し、対話式の化粧品ケースセットにある化粧品の少なくとも一部をその使用説明に従って使用することを含む、化粧品の使用方法も提供される。
【図面の簡単な説明】
【０００７】
【図１】基部１５０に挿入されるカラー化粧品挿入物１１０を有する基本コンパクト１００を示す図である。コンパクト１００の上部１２０は、鏡１４０およびボタンまたはタッチパッド１３０を含む。使用者がボタンまたはタッチパッド１３０を押し下げるまたは触れると、音声ファイルまたはテープ（図示せず）が作動され、音声がこれらの特定のカラー化粧品の顔への施し方を教え始める。
【図２】同様のコンパクト２００であるが、ボタンまたはタッチパッド２３０が基部２５０の中央且つカラー化粧品２１０の間にあり、それによって上部２４０および鏡２２０が完全に損なわれない状態にされる、コンパクト２００を示す図である。
【図３】２つのカラー化粧品挿入物３１０を有する他の形のコンパクト３００を示す図である。ボタンまたはタッチパッド３３０は、基部３５０の化粧品挿入物３１０の中央にあり、それによって上部３４０および鏡３２０が完全に損なわれない状態にされる。
【図４】２つ以上の音声ファイルまたはテープ（図示せず）を有する独特の製品を示す図である。コンパクト４００は、この場合、２つ以上のカラーパレット４１０、４１５および２つ以上のボタンまたはタッチパッド４３０、４３５を備える。上部４４０および鏡４２０は完全に手付かずの状態である。
【図５】少なくとも２つのボタンまたはタッチパッド５３０、５３５と共に、少なくとも２つのカラーパレット５１０、５１５を含む、類似のコンパクト５００を示す図である。この特定のコンパクトは、マスカラ、アイライナおよび／またはリップスティックもしくはリップグロス５１９と共に、使用者が容貌を実現するのに必要なブラシ５１８のうちのいくつかまたは全てをさらに含む。
【図６】少なくとも２つのホルダ６７５によって所定の位置に係止またはスナップ留めされる音声カートリッジ６７０を備える、企図されるコンパクト６００の背部６５０を示す図である。コンパクト６００の背部６５０は、バーコード６６０および／または成分リストもしくは他の情報（図示せず）をさらに含むことができる。
【図７】少なくとも２つの音声カートリッジ７７０がコンパクト７００の背部７５０の所定の位置にスナップ留めされる、他の企図されるコンパクトを示す図である。
【図８Ａ】図８Ａは、カラー挿入物８１０、ボタンまたはタッチパッド８３０および音声／映像カセット８７０が相互の関係を保ってどこに位置し得るかを示す、コンパクト８００の上面を示す図である。
【図８Ｂ】図８Ｂは、カラー挿入物８１０、ボタンまたはタッチパッド８３０および音声／映像カセット８７０が相互の関係を保ってどこに位置し得るかを示す、コンパクト８００の側／断面を示す図である。
【発明を実施するための形態】
【０００８】
驚くべきことに、特定の容貌、特定の化粧流行の実現、または特定の肌の色合いへの適用を意図する対話式の化粧品ケースセットが開発された。それには、容貌を作り出すための構成要素がもたらされ、化粧品セットと別個でなく塗布かつ／またはある種の容貌に修正を加えるように具体的に指導が受けられる化粧品セットに付属する使用説明がある。企図される化粧品セットは、使用者にとって、新しいカラー化粧品および製品の導入の際、任意選択で詰め替え可能、交換可能かつダウンロードによる更新可能であると共に便利である。使用説明は、コンパクトまたは化粧品容器に入れられる、恒久的または一時的な映像挿入物および／または音声挿入物としてもたらされ得る。
【０００９】
具体的には、企図される対話式の化粧品ケースセットは、ａ）少なくとも２つの独立部分を備えるケース構成要素、ｂ）ケース構成要素に結合される複数の化粧品ポッド、ｃ）ケース構成要素に結合される鏡、ｄ）ケース構成要素に結合される、音声、映像または音声／映像の組み合わせ（ＡＶ）ポッドを含む。いくつかの実施形態において、企図される対話式の化粧品ケースセットは、ブラシ、塗布具、リップスティックもしくはグロス、つけまつげ、毛抜き、接着剤および糊などの器具、マスカラもしくはアイライナ、さらさらした粉の容器、またはその組み合わせを含む、ケース構成要素の基部または蓋部に挿入または収納される他の品物を含むことができる。
【００１０】
例えば、くすんだ色の輪郭と共に暗い色から明るい色に移り変わるという流行の「スモーキーアイ（ｓｍｏｋｙ  ｅｙｅ）」すなわちアイシャドウの容貌を作り出すのに必要な構成要素を使用者に提供することを対象とする、企図される化粧品ケースが作り出された。この容貌は雑誌およびモデルで人気があるが、一般消費者には実現し難い傾向がある。したがって、このコンパクトは、スモーキーアイの容貌を作り出す構成要素だけでなく、この特定の容貌を実現する音声および／または映像の使用説明も提供することができる。
【００１１】
他の企図される対話式の化粧品ケースは、同じ化粧品および追加の製品を使用して「昼用の容貌」そして「夜用の容貌」を実現することを対象とする情報材料および化粧品ポッドを備えることができる。さらに他の企図される対話式の化粧品ケースでは、製品は、つけまつげと共にそれらの張り付けを意図する追加の構成要素を有する化粧品ポッドを備えることができ、さらに、音声および／または映像情報材料は消費者に使用および／または手入れ方法を案内する。
【００１２】
企図される対話式の化粧品ケースセットは、少なくとも２つの独立部分を有するケース構成要素を備える。少なくとも２つの独立部分は、基部および蓋部を備える、または、複数の部分がある三つ折の構成要素であってよい。一実施形態において、基部および蓋部は、ヒンジまたは従来のコンパクトと同様の他の回転可能結合装置によって結合される。他の実施形態において、基部および蓋部は、ケース構成要素の内部を露出させるように一方の部分が他方に対して摺動するように摺動可能に結合される。
【００１３】
本明細書において、「結合される」という用語は、少なくとも２つの構成要素、ポッドまたは他の材料が、ａ）一方の構成要素を他方のスロット、くぼみまたは穴に挿入するなどの適当なやり方により接合される、ｂ）少なくとも２つの構成要素を摺動可能に結合するヒンジなどの回転可能結合装置により取り付けられる、ｃ）接着剤、磁石または他の結合材料もしくは力を用いて接合される、ｄ）紐、他の構成要素、針金、他の適当な装置または構成要素などの第３の構成要素を用いて接合されることを意味する。
【００１４】
企図される基部は、内側部分および外側部分を備える。内側部分は、ケース構成要素内部の少なくとも一部を形成する基部の部分である。基部の外側部分は、コンパクトの背部のような、ケース構成要素の少なくとも部分的に外側にある基部の部分である。企図される蓋部は、内側部分および外側部分を備える。蓋部の内側部分は、鏡がそこに収納すなわち配置され得るような、ケース構成要素の少なくとも部分的に内側にある蓋部の部分である。蓋部の外側部分は、ロゴまたは模様がそこに配置されるコンパクトの上部のような、ケース構成要素の少なくとも部分的に外側にある蓋部の部分である。
【００１５】
上述のように、特定の容貌を実現する方法または特定の製品（一般消費者にはつけることが難しいことで有名なつけまつげなど）をつける方法を使用者に教える音声および／または映像の使用説明または情報は、化粧品構成要素またはポッドと共に、化粧品ケースに含まれ得る。音声の使用説明または情報の場合、それらはチップ、ＭＰ３またはＭＰ４プレーヤ、デジタル装置またはテープなどの媒体にもたらされる、記録されるまたはダウンロードされ、かつコンパクトまたは化粧品ケースセットの一部に恒久的に装入され得る。他の諸実施形態において、音声、映像または組み合わせポッドを構成する媒体は、書き換え可能かつ／または脱着可能である。使用者は、コンパクトのある部分に存在するボタン、キーパッド、タッチパッドまたはロックなどの作動装置を操作することにより、これらの使用説明または情報を聞くことができる。音声ポッド、映像ポッドまたはその組み合わせは、基部または蓋部などの独立部分の１つまたは複数に、少なくとも部分的に結合され得る。
【００１６】
図１は、本明細書により詳細に記載される、複数の化粧品ポッドがケース構成要素の基部に結合され、使用者がケース構成要素内のボタンを押すと作動される音声の使用説明がケース構成要素の蓋部の内側部分にある音声ポッド内に配置される、企図される対話式の化粧品ケースを示す。音声の使用説明は、また、使用者がコンパクトの内部または側部の一部に触れると作動されることもある。使用説明および／またはデモは、また、コンパクトの内部または外部に配置される映像装置によってもたらされることもある。これらの使用説明および／またはデモは、特に、高価でなくなってきている事実を考えて小型のＬＣＤ装置または他のデジタル映像装置上に表示され得る。
【００１７】
使用説明および／またはデモは、また、化粧品ケース構成要素の内部または外部に配置される映像装置によって提供されることもある。これらの使用説明および／またはデモは、特に、より小さく、より薄く、かつ高価でなくなってきている事実を考えて小型のＬＣＤ装置または他のデジタル映像装置上に表示され得る。したがって、１つの企図される例において、使用者がコンパクトの基部上のボタンを押すまたはタッチパッドを作動すると、鏡が化粧品のつけ方の映像を表示する表示装置になる。この鏡または小型表示域は液晶または他の適当な材料であってよく、それによってこの鏡または小型表示域が、使用者の顔を見るのに不透明で反射するようになり、映像を見るのに透明になり得るようになる。この変態は、表示パネルの結晶または構成物質の配向の変化によって起こり得る。
【００１８】
音声および／または映像の使用説明は、また、基本コンパクトまたは化粧品ケースに挿入され後でそこから取り出されるように設計される小さな挿入物に含まれて提供されることもある。このように、傾向や容貌を変える場合、使用者は、１つのコンパクトを購入し、次いで、化粧品および映像／音声の使用説明の脱着可能なセットを購入し、それぞれをコンパクトに挿入して新しい容貌を始めることができる。
【００１９】
企図される諸実施形態の他の特徴は、音声および／または映像の使用説明が様々な言語で提供され得ることである。使用説明のこの特徴は、様々な言語を含む使用説明小冊子が製作され含まれる必要がないので、使用説明の過剰印刷の改善になるが、その代わり、各音声または映像の使用説明カートリッジには、一言語を含む旨のラベルが付けられ、使用者は必要な言語を含む音声または映像の挿入物またはポッドを選ぶことができる。音声および／または映像のポッドは複数の言語の組み合わせで提供されることがあり、したがってポッドが、それを出して交換する必要なくして、英語、フランス語およびギリシア語の使用説明を提供し得るようになる。
【００２０】
企図される諸実施形態のその他の特徴は、音声および／もしくは映像の構成要素、音声ポッド、映像ポッド、ならびに／または音声／映像（ＡＶ）ポッドが、記録の一部として特定の曲、歌、またはジングルが演奏されるような情報構成要素と共に含まれ得ることである。また、消費者の録音メッセージが含まれることもある。例えば、娘が、「ふっくらした唇（ｐｏｕｔｙ  ｌｉｐｓ）」の作り方の教授を意図する対話式の化粧品ケースセットの１つを購入して母親にあげたいと思う場合、彼女は、製品の塗布についての使用説明が始まる前に短い前置きメッセージを録音することができる。母親が音声および／または映像ポッドを作動すると、彼女が聞く最初の声が娘の声であり、したがって贈り物がより個人的なものになる。
【００２１】
図１〜８は、特定の化粧品セットおよびカラー化粧品と共に、音声および／または映像の挿入物／ポッドを含む対話式の化粧品ケースセット、コンパクトおよびケースの、いくつかの企図される実施形態を示す。これらのコンパクトおよび化粧品ケースは、任意の数の適当なデザイン、適当な化粧品および適当な材料で設計され得る。
【００２２】
図１は、基部１５０に結合されるまたはその内部に結合されるカラー化粧品挿入物または化粧品ポッド１１０を有する、基本コンパクトまたはケース構成要素１００を示す。ケース構成要素１００の上部すなわち蓋部１２０は、鏡１４０およびボタンまたはタッチパッド１３０を含む。使用者がボタンまたはタッチパッド１３０を押し下げるまたは触れると、音声ファイルまたはテープ（図示せず）が作動され、音声がこれらの特定のカラー化粧品の顔への施し方を教え始める。図２は、同様のコンパクト２００であるが、ボタンまたはタッチパッド２３０が基部２５０の中央且つ化粧品ポッド２１０の間にあり、それによって蓋部２４０および鏡２２０は、完全に損なわれていない状態にされる、コンパクト２００を示す。
【００２３】
図３は、２つのカラー化粧品挿入物またはポッド３１０を有する、他の形のケース構成要素３００を示す。ボタンまたはタッチパッド３３０は、基部３５０の化粧品挿入物３１０の間の中央にあり、それによって蓋部３４０および鏡３２０は、完全に損なわれていない状態にされる。
【００２４】
図４は、２つ以上の音声ポッド（図示せず）を有する独特の製品を示す。ケース構成要素４００は、この場合、２つ以上のカラーパレット４１０、４１５および２つ以上のボタンまたはタッチパッド４３０、４３５を備える。蓋部４４０および鏡４２０は完全に手付かずの状態である。図５は、少なくとも２つのボタンまたはタッチパッド５３０、５３５と共に、少なくとも２つのカラーパレット５１０、５１５を含む、類似のケース構成要素５００を示す。この特定の化粧品ケースセットは、マスカラ、アイライナおよび／またはリップスティックもしくはリップグロス５１９と共に、使用者が容貌を実現するのに必要なブラシ５１８のうちのいくつかまたは全てをさらに含む。
【００２５】
図６は、少なくとも２つのホルダ６７５によって所定の位置に係止またはスナップ留めされる音声ポッド６７０を備える、企図されるケース構成要素６００の背部６５０を示す。ケース構成要素６００の基部６５０の外側部分は、バーコード６６０および／または成分リストもしくは他の情報（図示せず）をさらに含むことができる。図７は、少なくとも２つの音声ポッド７７０がケース構成要素７００の基部７５０の外側部分の所定の位置にスナップ留めされる、他の企図されるケース構成要素を示す。図８は、カラー挿入物８１０、ボタンまたはタッチパッド８３０および音声／映像ポッド８７０が相互の関係を保ってどこに位置し得るかを示す、ケース構成要素８００の上面（Ａ）および側／断面（Ｂ）を示す。
【００２６】
化粧品コンパクトおよび／またはケースは、第一に、任意の適当な材料、織物またはその組み合わせから作製され得る。企図される材料には、プラスチック、金属、厚紙、天然繊維もしくは材料、またはその組み合わせがある。企図される織物の選択には、デニム、絹、綿、ポリエステル、レーヨン、リネン、ビロード、皮、スエード皮またはその任意の組み合わせを含む、天然または合成織物があり得る。
【００２７】
化粧品コンパクトおよび／またはケースは、任意の適当なデザインをさらに備えることができる。これらのデザインは、意味の無いまたは無作為なデザインを含むことができ、ロゴ、商標もしくは表現またはその組み合わせを含むことができる。例えば、一会社が、ジーンズを製造し、次いで、いくつかが会社ロゴを含み、いくつかが無作為なデザインを含み、いくつかが無作為なデザインの標語を含む、一連の化粧品コンパクトおよび／またはケースを製造することもできる。デザインおよびこれらのデザインの組み合わせは、化粧品コンパクトおよび／またはケースを製造するデザイナまたは会社の創造力による制限だけを受けることが明らかであろう。
【００２８】
さらに、対話式の化粧品ケースセットを用意し、その対話式の化粧品ケースセットを開け、化粧品セットの音声、映像またはＡＶポッドを操作し、音声、映像またはＡＶポッドにより提供される一連の使用説明を検討し、対話式の化粧品ケースセットにある化粧品の少なくともいくつかをその使用説明に従ってつけることを含む、化粧品の使用方法も提供される。
【００２９】
本明細書で開示される対話式の化粧品ケースセットの１つの企図される特徴は、それらが、消費者の必要に応じて再利用可能であることである。消費者が、最初の化粧品ポッドがなくなっても化粧品ケースまたはコンパクトを捨てたがらないことを考慮すると、この「環境保護」機能は重要である。消費者は、それらのポッドを類似製品と取り替える、より現実的には、それらの化粧品および音声／映像ポッドを新しく流行っているカラーおよび容貌のものと取り替えたがる。さらに、これらの企図される製品の「プラグアンドプレイ（ｐｌｕｇ  ａｎｄ  ｐｌａｙ）」の態様は、製品の生産者にとって非常に魅力的であり、したがって生産者は、例えば１０歳前後の子供、１０代の若者、専門職の女性、年配の女性など様々な市場向けのケース構成要素を自由に設計することができる。ケースは、消費者によってより高額な最終製品になる可能性があるが、同時に無駄を減らすことができる。
【００３０】
このように、対話式の化粧品コンパクトおよび／またはケースならびにその使用の特定の諸実施形態および諸応用例が開示されてきた。しかし、本明細書における発明の概念から逸脱することなく、上述の他にさらに多くの変更形態が可能であることが当業者には明らかであろう。さらに、特許明細書の解釈に際して、全ての用語は、可能な限り広義に文脈と一貫性があるように解釈されるべきである。具体的には、「備える」および「備えている」という用語は、非限定的なかたちで要素、構成要素または段階を参照して、参照される要素、構成要素または段階が、存在し得ること、利用され得ること、または特に参照されない他の要素、構成要素もしくは段階と組み合わせられ得ることを表す、と解釈されるべきである。
【図１】
2010523224.tif 000003
【図２】
2010523224.tif 000004
【図３】
2010523224.tif 000005
【図４】
2010523224.tif 000006
【図５】
2010523224.tif 000007
【図６】
2010523224.tif 000008
【図７】
2010523224.tif 000009
【図８Ａ】
2010523224.tif 000010
【図８Ｂ】
2010523224.tif 000011
【国際調査報告】
2010523224.tif 000012
2010523224.tif 000013
2010523224.tif 000014